(57)【要約】【課題】  エンジン搭載性に優れた補機駆動型エンジン始動装置を提供する。【解決手段】 電動機５のロータ５３に嵌入された中空の回転軸５４内に軸方向両側から回転軸３１、７１を挿入し、回転軸５４と３１との間に一方向クラッチ４を、回転軸５４と７１との間に一方向クラッチ６を収容する。回転軸５４の反時計方向回転により回転軸３１はエンジン側へトルクを出力し、回転軸５４の時計方向回転により回転軸７１はコンプレッサ７を駆動する。これにより軸方向長増大を抑止し、かつ、構造が簡素な補機駆動型エンジン始動装置を実現することができる。【選択図】図３
2005220755.tif 000002
【特許請求の範囲】
【請求項１】
エンジンを始動する電動機と、
前記電動機から回転力が入力される入力回転軸と前記エンジン側に回転力を出力する出力回転軸とを有して前記電動機の回転軸の一端側に配置される減速機構と、
前記電動機の回転軸の他端側に配置される補機と、
前記電動機の出力を前記減速機構の入力回転軸へ断続可能に伝達する減速機継合機構、又は、前記電動機の出力を前記補機の回転軸へ断続可能に伝達する補機継合機構と、
を備えた補機駆動機能付始動装置において、
前記減速機継合機構又は補機継合機構は、
前記電動機のステータの径方向内側に収容されていることを特徴とする補機駆動型エンジン始動装置。
【請求項２】
請求項１記載の補機駆動型エンジン始動装置において、
前記減速機継合機構又は補機継合機構は、前記電動機のロータの径方向内側に収容されている補機駆動型エンジン始動装置。
【請求項３】
請求項１又は２記載の補機駆動型エンジン始動装置において、
前記減速機継合機構又は補機継合機構は、
前記電動機のロータコアが嵌着されたロータ軸に形成された中空孔に収容されている補機駆動型エンジン始動装置。
【請求項４】
請求項３記載の補機駆動型エンジン始動装置において、
前記減速機継合機構及び補機継合機構は、
前記電動機のロータコアが嵌着されたロータ軸に形成された中空孔に収容されている補機駆動型エンジン始動装置。
【請求項５】
請求項４記載の補機駆動型エンジン始動装置において、
前記減速機継合機構又は補機継合機構は、継合方向が逆である一方向クラッチからなり、
前記電動機は、前記エンジンの始動時と前記補機の駆動時とで逆方向に回転する補機駆動型エンジン始動装置。
【請求項６】
請求項５記載の補機駆動型エンジン始動装置において、
前記減速機継合機構は、
前記中空孔へ一端側から挿入された前記減速機の入力回転軸と前記ロータ軸との間の径方向隙間に配置され、
前記補機継合機構は、
前記中空孔へ他端側から挿入された前記補機の回転軸と前記ロータ軸との間の径方向隙間に配置されている補機駆動型エンジン始動装置。
【請求項７】
請求項１乃至６のいずれか記載の補機駆動型エンジン始動装置において、
前記減速機構の出力回転軸は、
一方向クラッチであるプーリクラッチを通じてプーリに連結されている補機駆動型エンジン始動装置。
【請求項８】
請求項７記載の補機駆動型エンジン始動装置において、
前記減速機構の少なくとも一部は、
前記プーリの径方向内側に収容されている補機駆動型エンジン始動装置。
【請求項９】
請求項項８記載の補機駆動型エンジン始動装置において、
前記減速機出力軸は、
前記プーリの径方向内側に収容されている軸受を通じてハウジングに支承されている補機駆動型エンジン始動装置。
【請求項１０】
請求項項９記載の補機駆動型エンジン始動装置において、
前記減速機出力軸を支承する前記軸受は、
前記プーリクラッチの内側に位置して前記プーリの径方向内側に収容されている補機駆動型エンジン始動装置。
【発明の詳細な説明】
【技術分野】
【０００１】
本発明は、補機駆動とエンジン始動とをそれぞれ独立に実行可能な補機駆動型エンジン始動装置に関する。本発明の補機駆動型エンジン始動装置は、たとえばエンジン停止時にバッテリ駆動される電動コンプレッサによりエンジン始動する補機駆動型エンジン始動装置に適用される。
【背景技術】
【０００２】
近年、内燃機関の燃費を改善させる必要から、車両停車時に内燃機関（エンジン）を停止させるアイドルストップシステムやエンジンに加えて電動機を有し、所定の走行モードで内燃機関の運転を停止して電動力により走行するハイブリッド駆動システムが実用化されている。これらのシステムではエンジン停止時にバッテリ電力によりエアコン用のコンプレッサを作動させる電動機を設けるのが通常である。
【０００３】
下記の特許文献１は、コンプレッサ駆動用電動機の回転軸の一端を第１クラッチを介してエンジンに連結し、コンプレッサ駆動用電動機の回転軸の他端を第２クラッチを介してエアコン用コンプレッサに連結することにより、エンジン停止時でもエアコン用コンプレッサの電動駆動を可能とし、コンプレッサ駆動用電動機によりエンジン始動することを提案している。
【０００４】
下記の特許文献２は、エアコン用コンプレッサを駆動するコンプレッサ駆動用電動機を電磁クラッチを介してエンジンに連結することにより、電磁クラッチオフ時にエアコン用コンプレッサを電動動作させ、電磁クラッチオン時にコンプレッサ駆動用電動機によりエンジン始動を行うコンプレッサ駆動用電動機装置を提案している。
【特許文献１】特開２００１−２９８８０３号公報
【特許文献２】特開２００２−２０５５３６号公報
【発明の開示】
【発明が解決しようとする課題】
【０００５】
しかしながら、上記した公報の装置では、電動機、補機、それらの継合状態を制御するクラッチ機構を軸方向に一列に配置しているため装置の軸方向長が各装置の軸方向長の合計となってしまい、エンジンルームへの搭載性が著しく低下してしまう。エンジンルームの容積縮小は車両デザイン上の大きな要素であり、このような長大なシステムをエンジン近傍に収容する案は実質的に採用するのが困難であった。
【０００６】
また、電動機をエンジン始動専用とするモードにおける補機の切り離しと、電動機を補機駆動専用とするモードにおけるエンジンへのトルク伝達系の切り離しのためのクラッチ機構が複雑高価となるため、エンジン始動と補機駆動とをそれぞれ専用の電動機で行う場合に比べてメリットが少なかった。
【０００７】
本発明は、上記問題点に鑑みなされたものであり、エンジン始動可能な電動補機装置の車両搭載性を改善してそのエンジン近傍への収容を容易に可能とした補機駆動型エンジン始動装置を提供することをその目的としている。
【課題を解決するための手段】
【０００８】
上記課題を解決するためになされた本発明の補機駆動型エンジン始動装置は、エンジンを始動する電動機と、前記電動機から回転力が入力される入力回転軸と前記エンジン側に回転力を出力する出力回転軸とを有して前記電動機の回転軸の一端側に配置される減速機構と、前記電動機の回転軸の他端側に配置される補機と、前記電動機の出力を前記減速機構の入力回転軸へ断続可能に伝達する減速機継合機構、又は、前記電動機の出力を前記補機の回転軸へ断続可能に伝達する補機継合機構とを備えた補機駆動機能付始動装置において、前記減速機継合機構又は補機継合機構が、前記電動機のステータの径方向内側に収容されていることを特徴としている。
【０００９】
ここでいう継合機構とはトルクの伝達とその遮断とを制御可能なクラッチ機構を言う。継合機構がステータの径方向内側に収容されるとは、ステータコア両側のステータコイルエンドよりも継合機構が軸方向外側に突出しないことも意味している。
【００１０】
この発明によれば、エンジン始動時には補機を電動機から分離し、補機（好適にはエアコン用コンプレッサ）駆動時には電動機からエンジンへのトルク伝達を遮断することができるため、電動機の個数を減らすことができる。そのうえ、必要となる両継合機構を実質的に電動機の内部に収容したため、補機駆動型エンジン始動装置の軸長を従来より格段に縮小することができ、小型で搭載性に優れた補機駆動型エンジン始動装置を実現することができる。
【００１１】
なお、好適には、両継合機構は、前記補機を駆動することなく前記減速機構を通じて前記エンジンを始動し、かつ、前記エンジンを駆動することなく前記補機を駆動する動作を行う。
【００１２】
好適態様１では、前記減速機継合機構又は補機継合機構は、前記電動機のロータの径方向内側に収容されている。これにより、一層のコンパクト化を実現することができる。
【００１３】
好適態様２では、前記減速機継合機構又は補機継合機構は、前記電動機のロータコアが嵌着されたロータ軸に形成された中空孔に収容されているため、両継合機構の電動機内への収容が簡単となる。更に説明すると、ロータコアの外周面から径方向内側へのロータコアの必要深さはそれほど大きくする必要はなく、ロータコアの内周径（ロータ回転軸の外径）は磁束形成を許容する範囲で増大されることができる。特に同期モータではロータコアの径方向内側部分に流れる磁束の変化は少ないため、たとえば回転軸の透磁性を大きくすることにより、回転軸自体もロータコアの磁路として有効利用することができる。
【００１４】
好適態様３では、前記減速機継合機構及び補機継合機構の両方が、前記電動機のロータコアが嵌着されたロータ軸に形成された中空孔に収容されているため、一層の軸長縮小が可能となる。
【００１５】
好適態様４では、前記減速機継合機構又は補機継合機構は、継合方向が逆である一方向クラッチからなり、前記電動機は、前記エンジンの始動時と前記補機の駆動時とで逆方向に回転する。これにより、電動機を複数用いる場合に比べて追加が必要となる継合機構を簡素化することができ、電動機数節約による小型軽量化のメリットを十分に生かすことができる。なお、この態様は、エンジン始動時に作動停止することが可能で、かつ、エンジン停止時でも駆動が必要な空調用コンプレッサを補機とする場合に特に好適である。
【００１６】
好適態様５では、前記減速機継合機構は、前記中空孔へ一端側から挿入された前記減速機継合機構の入力回転軸と前記ロータ軸との間の径方向隙間に配置され、前記補機継合機構は、前記中空孔へ他端側から挿入された前記補機の回転軸と前記ロータ軸との間の径方向隙間に配置されている。これにより、構造の一層の簡素化が可能となる。
【００１７】
好適態様６では、前記減速機構の出力回転軸は、一方向クラッチであるプーリクラッチを通じてプーリに連結されている。これにより、エンジンの通常回転時に減速機構が駆動されることがなく、動力損失を低減することができる。
【００１８】
好適態様７では、前記減速機構の少なくとも一部は、前記プーリの径方向内側に収容されているため、更なる軸長短縮を実現することができる。
【００１９】
好適態様８では、前記減速機出力軸は、前記プーリの径方向内側に収容されている軸受を通じてハウジングに支承されているため、更なる軸長短縮を実現することができる。
【００２０】
好適態様９では、前記減速機出力軸を支承する前記軸受が、前記プーリクラッチの内側に位置して前記プーリの径方向内側に収容されているため、更なる軸長短縮を実現することができる。また、ベルト張力による減速機出力軸の曲げモーメントを低減できる。
【発明を実施するための最良の形態】
【００２１】
以下、本発明の補機駆動型エンジン始動装置の好適な実施態様を図面を参照して説明する。ただし、本発明はこの実施態様に限定されるものではない。たとえば、エンジン始動用の電動機（モータ）をエンジンにより駆動される発電機として作動させてもよい。
（実施例１）
実施例１の補機駆動型エンジン始動装置の模式ブロック図を図１に示す。
【００２２】
この補機駆動型エンジン始動装置Ａは、プーリ１、一方向クラッチ２、減速機構３、一方向クラッチ４、電動機５、一方向クラッチ６、エアコン用のコンプレッサ７を順次連結してなる。一方向クラッチ２はプーリ１と減速機構３との間に、一方向クラッチ４は減速機構３と電動機５との間に、一方向クラッチ６は電動機５とコンプレッサ７との間に配置されている。一方向クラッチ２、４、６のトルク伝達方向は図１に矢印により図示されている。
【００２３】
８はエンジンであり、エンジン８のクランクプーリ９はベルト１０によりプーリ１に連結されている。１１はバッテリであり、制御装置１２により制御されるインバータ１３に給電し、インバータ１３はバッテリ１１から受電した直流電力をたとえば三相交流電力に変換して電動機５に給電し、電動機５を駆動させる。
【００２４】
減速機構３は、遊星減速機構であって、電動機５側に突出する入力回転軸３１、入力回転軸３１に装着されたサンギヤ３２、図示しないハウジングに固定されたインターナルギヤ３３、サンギヤ３２及びインターナルギヤ３３と噛み合って遊星回転する遊星ギヤ３４、減速機構３側に突出して遊星ギヤ３４を自転自在に支持する遊星ギヤ枢支用のフランジ状の回転軸３５を有している。従って、一方向クラッチ２はプーリ１と回転軸３５との間に配置され、一方向クラッチ４は入力回転軸３１と電動機５との間に配置されている。
【００２５】
この補機駆動型エンジン始動装置Ａの動作を以下に説明する。
〔エンジン始動動作〕
電動機５を一方向（たとえば時計方向）に回転させると、その回転力すなわちトルクは一方向クラッチ４を通じて減速機構３に入力され、減速機構３により減速された後、プーリ１、ベルト１０を通じてクランクプーリ９に伝達され、エンジン８が始動される。この時、一方向クラッチ６は開放状態となっており、電動機５はエンジン始動時にコンプレッサ７を駆動することはない。エンジン始動が完了した後、電動機５への給電を停止すると、エンジン８はプーリ１、一方向クラッチ２、減速機構３、一方向クラッチ４を通じて電動機５を駆動しようとするが、一方向クラッチ２が開放状態となるため、減速機構３及び電動機５が駆動されて電動機５がオーバーランするのが防止される。
〔電動コンプレッサ動作〕
エンジン停止時に電動機５を他方向（たとえば反時計方向）に回転させると、その回転力すなわちトルクは一方向クラッチ６を通じてコンプレッサ７に伝達され、コンプレッサ７が電動駆動される。この時、一方向クラッチ４は回転方向がトルク伝達方向に対して反対となっているため、開放され、電動機５が減速機構３を通じてエンジンを駆動することはない。
〔補機駆動状態からのエンジン始動動作〕
上記した電動機５によりコンプレッサ７を駆動している状態にてエンジン始動を行うには、まず電動機５を停止させ、その後、電動機５を逆方向に回転させ、上記したエンジン始動動作を行えばよい。
（変形態様）
上記した実施例では、電動機５とエンジン８との間にトルク伝達方向が等しい二つの一方向クラッチ２、４を減速機構３の両側に個別に設けている。これにより、エンジン８の始動完了後にエンジン８が電動機５を駆動しようとする場合には一方向クラッチ２が開放状態となって減速機構３の回転を防止し、電動機５によりコンプレッサ７を駆動する場合には一方向クラッチ４が開放状態となって減速機構３の回転を防止することができる。したがって、通常のエンジン回転時にも、電動コンプレッサ動作時にも減速機構３が駆動されて無駄な摩擦損失や摩耗、発熱などの問題が生じることがない。もちろん、一方向クラッチ２、４のどちらか、たとえば一方向クラッチ４を省略することも可能である。
（変形態様）
上記実施例では、インターナルギヤ３３は図示しないハウジングに固定されていたが、インターナルギヤ３３を一方向クラッチ（インターナルギヤ付き一方向クラッチと呼ぶものとする）を通じてハウジングに固定されてもよい。この場合には、一方向クラッチ２又は４を省略することができる。
【００２６】
つまり、電動機５がたとえば時計方向に回転し、一方向クラッチ６が開放され、インターナルギヤ付き一方向クラッチが継合状態となってハウジングに固定されて、電動機５のトルクが減速機構３、プーリ１を通じてエンジン８に伝達される。電動機５がたとえば反時計方向に回転し、一方向クラッチ６が継合して電動機５はコンプレッサ７を駆動する。この時、インターナルギヤ３３は遊動状態となるためプーリ１は駆動されない。
（実施例２）
実施例２の補機駆動型エンジン始動装置の模式ブロック図を図２に示す。
【００２７】
この補機駆動型エンジン始動装置Ｂは、図１に示す補機駆動型エンジン始動装置Ａにおいて遊星ギヤ３４を自転自在に枢支する回転軸３５を図示しないハウジングに固定し、インターナルギヤ３３を一方向クラッチ２を通じてプーリ１に連結したものである。３６はハウジングに支持されて回転軸３５を回転自在に支承する軸受である。
【００２８】
この補機駆動型エンジン始動装置Ｂの動作は、減速機構３の減速比は別として本質的に図１に示す補機駆動型エンジン始動装置Ａと同じである。
（実施例３）
実施例２の補機駆動型エンジン始動装置Ｂを具体化した実施態様を図３に示す。なお、図３では、構造をわかりやすく図示するためにほとんどの断面表示用のハッチングを省略するものとする。
【００２９】
（全体構成）
この補機駆動型エンジン始動装置Ｂは、プーリ１、一方向クラッチ２、減速機構３、一方向クラッチ４、電動機５、一方向クラッチ６、エアコン用のコンプレッサ７を有している。一方向クラッチ２はプーリ１と減速機構３との間に、一方向クラッチ４は減速機構３と電動機５との間に、一方向クラッチ６は電動機５とコンプレッサ７との間に配置されている。
【００３０】
一方向クラッチ２、減速機構３、一方向クラッチ４、電動機５、一方向クラッチ６、コンプレッサ７は、ハウジング１００に一体に収容されている。ハウジング１００は、減速機構ハウジング１０１、フロントハウジング１０２、モータハウジング１０３、センターハウジング１０６、リヤハウジンング１０４を順次重ねてスルーボルト１０５により締結してなる。
【００３１】
減速機構３は、減速機構ハウジング１０１とフロントハウジング１０２との間に収容され、モータハウジング１０３の一端開口は、リヤハウジンング１０４により閉鎖され、電動機５及びコンプレッサ７はモータハウジング１０３の内部に収容されている。センターハウジング１０６は、モータハウジング１０３に支持されて電動機５とコンプレッサ７とを区画している。
【００３２】
（電動機５）
電動機５は、通常のＩＰＭであるがそれに限定されないことはもちろんである。電動機５自体は周知であるため、その基本部分のみ簡単に説明する。モータハウジング１０３の内周面に固定されたステータコア５１、ステータコア５１に巻装されたステータコイル５２、ステータコアの径方向内側に配置されたロータ５３、ロータ５３に嵌挿された中空のモータ回転軸５４をもつ。モータ回転軸５４は、モータハウジング１０３及びセンターハウジング１０６に軸受５５、５６を介して回転自在に支承されている。
【００３３】
中空のモータ回転軸５４には前方から減速機構３の回転軸３１が、後方からコンプレッサ７の回転軸７１とがそれぞれ相対回転自在に挿入され、モータ回転軸５４と回転軸３１との間には一方向クラッチ４が、モータ回転軸５４と回転軸７１との間には一方向クラッチ６が収容されている。回転軸３１はフロントハウジング１０２を貫通して、減速機構ハウジング１０１とフロントハウジング１０２との間のギヤ室へ突出している。
【００３４】
（減速機構３）
減速機構３は、通常の遊星減速機構であるがそれに限定されないことはもちろんである。遊星減速機構自体は周知であるため、その基本部分のみ簡単に説明する。減速機構３は、上記ギヤ室内において、回転軸３１に形成されたサンギヤ３２、インターナルギヤ３３、遊星ギヤ３４を有している。フロントハウジング１０２には遊星ギヤ枢支ピン３７が植設され、遊星ギヤ枢支ピン３７には軸受３８により遊星ギヤ３４が回転自在に枢支されている。回転軸３５は軸受３９により減速機構ハウジング１０１に回転自在に支承され、回転軸３１の前端部は軸受により回転自在に支承されている。４０は冷媒封入用のメカニカルシールである。
【００３５】
（プーリ１）
プーリ１は、プーリーナット１６により減速機構３の回転軸３５に螺着された基筒部１７と、基筒部１７の外周面に軸受１８により回転自在に支承されるプーリ部１９とを有している。基筒部１７とプーリ部１９との間には軸受１８に隣接して一方向クラッチ２が配置されている。プーリーナット１６と基筒部１７とは一体に形成されている。なお、上記した一方向クラッチ２、４、６は通常のエンジン始動用のスタータに用いられるオーバーランニングクラッチと同一構造のものでもよく、その他の公知の一方向クラッチ構造を採用してもよい。
【００３６】
（コンプレッサ７）
コンプレッサ７は、スクロール型であるが、それに限定されないことは当然である。コンプレッサ７の外殻は、センターハウジング１０６と、その後部の固定スクロール７２と、リヤハウジンング１０４とからなる。７３はセンターハウジング１０６と固定スクロール７２との間に配置された旋回スクロールである。コンプレッサ７の回転軸７１は、センターハウジング１０６を貫通して、旋回スクロール７３に係合している。回転軸７１の後端部は、フランジ状に拡径された拡径部７１ｂを有する。拡径部７１ｂは回転軸５４の右端面にスラスト軸受７４を介してスラスト荷重担持可能に相対回転自在となっている。
【００３７】
固定スクロール７２は、略円盤状の端板部７２ａと、それから軸方向に突出する渦巻き形の羽根部７２ｂ等からなっている。旋回スクロール７３は、概ね円盤状の端板部７３ａと、それから軸方向に突出して固定スクロール７２の渦巻き形の羽根部７２ｂと噛み合う渦巻き形の羽根部７３ｂを備えて、固定スクロール７２と噛み合うように配置されている。旋回スクロール７３は、端板部７３ａの背面から円筒状のボス部７３ｃが軸方向に突出しており、ボス部７３ｃは軸受７５を介してブッシュ７６によって相対的に回転可能に支持されている。ブッシュ７６は回転軸７１の拡径部７１ｂから軸方向に突出する偏心軸部７１ｃに取り付けられている。固定スクロール７２の端板部７２ａの中心には吐出口７７が開口しており、リード状の吐出弁７９が、リヤハウジンング１０４内に空間として形成された吐出室８０の側から吐出口７７を塞いでいる。固定スクロール７２内には、旋回スクロール７３の渦巻き形羽根部７３ｂの外周側に位置して吸入室８１が形成されている。
【００３８】
（コンプレッサ駆動動作の説明）
運転者が操作するスイッチによる手動指令により或いは電子制御装置による自動指令により、車両用空調装置の冷媒圧縮機としてのコンプレッサ７の駆動が指令されると、バッテリ電源１１からインバータ１３を通じて３相交流電力が電動機５のステータコイル５２に供給され、ロータ５３の回転力が一方向クラッチ６を介して回転軸７１へ伝達される。回転軸７１の偏心軸部７１ｃが回転すると、旋回スクロール７３も回転しようとするが、旋回スクロール７３は図示しない自転防止機構により自転が阻止されているため、旋回スクロール７３は固定スクロール７２と噛み合った状態で公転のみを行う。その結果、固定スクロール７２の渦巻き形の羽根部７２ｂと、それに噛み合う旋回スクロール７３の渦巻き形の羽根部７３ｂとの間に形成される作動室８２が外周部の吸入室８１に向かって開いた時に、冷凍サイクルの蒸発器から吸入室８１へ戻ってくる低圧の冷媒が作動室８２内へ取り込まれる。旋回スクロール７３が公転を続けることによって、外周部の作動室８２が閉じて中心部に向かって移動する間に作動室８２の容積が連続的に縮小するので、作動室８２内に閉じ込められた冷媒が圧縮される。加圧された冷媒は中心部において作動室８２が開いた時に吐出口７７から吐出弁７９を押し開いて吐出室８０へ吐出される。吐出室８０の高圧の冷媒は、吐出ポート（図略）から冷凍サイクルの凝縮器（図略）へ送られる。
【００３９】
（エンジン始動動作の説明）
エンジン停止状態からエンジン運転を再開する場合、走行系の電子制御装置の指令に基づき、バッテリ電源１１からインバータ１３を通し３相交流電力が電動機５のステータコイル５２へ供給され、ロータ５３の回転力は一方向クラッチ４を介して回転軸３１へ伝達される。回転軸３１の先端部に設けられたサンギヤ３２に噛合する遊星ギヤ（プラネタリギヤ）３４により回転力は反転してインターナルギヤ３３に伝達され、インターナルギヤ３３に連結された回転軸３５に伝達された回転力は、プーリーナット１６と一体の基筒部１７、一方向クラッチ２を介してプーリ部１９に伝達され、プーリ部１９からベルトを介してエンジンのクランクプーリに伝達され、電子制御装置の指令する所定のエンジン回転数に達するまで電動機５が回転力を発生させる。エンジン回転数が所定値に達すると電子制御装置からの停止指令により電動機５はそのロータ５３の回転エネルギーを回生しつつそれを停止させる。この時、エンジンによりプーリ部１９は駆動されるが、一方向クラッチ２によりその回転力（トルク）の伝達は遮断されるため、減速機構３及び電動機５の過回転（オーバラン）が阻止される。
【００４０】
（補機駆動状態からのエンジン始動動作）
エンジン始動時にコンプレッサ７が駆動状態にある場合、走行系の電子制御装置は、まず補機駆動停止指令を出す。これに従いインバータ１３は電動機５を回生制動してそれを停止させる。電動機５が停止したとみなすことができる回転数に達した時、走行系の電子制御装置はエンジン始動指令を出す。それに従って、インバータ１３は、電動機５を補機駆動時と逆方向に回転する３相交流を供給し、電動機５を回転させ、回転力が一方向クラッチ４、２を順次介してプーリ部１９に伝達される。以下、電動機５は、エンジン回転数が電子制御装置の指令する値に達するまで回転力（トルク）を発生する。
（実施例効果）
上記説明した実施例の補機駆動型エンジン始動装置によれば、以下の効果を奏することができる。
【００４１】
電動機５の回転方向の切り替えによりコンプレッサ７の駆動とエンジン始動とを切り替えるため、エンジン始動時における電動機５からのコンプレッサ７の分離を簡単な一方向クラッチ６により実現することができ、コンプレッサ駆動時における電動機５とエンジン８との間の分離を簡単な一方向クラッチ２又は４により実現することができる。結局、この実施例によれば、エンジン始動とコンプレッサ駆動とは同時に実施する必要がないことを利用して電動機５に二つの一方向クラッチ２又は４と６とを設けることによりコンプレッサ駆動用電動機によるエンジン始動を可能とし、部品点数を減らし、全体の重量及び体格の低減を実現することができる。
【００４２】
次に、上記した回転力伝達方向の切り替えのための一方向クラッチ４、６を電動機５のロータコアの径方向内側に収容しているため、装置の軸長を大幅に縮小することができ、装置の搭載性を向上することができる。
【００４３】
次に、プーリ部（本発明で言うプーリ）の径方向内側に、遊星減速機構３の減速回転軸３５とそれをハウジングに支承する軸受３９を内蔵したので、更なる軸長短縮を実現することができる。
【００４４】
次に、電動機５のロータ５３が嵌着される中空の回転軸５４を支承する軸受５５、５６をステータコイル５２のコイルエンドの径方向内側に配置したので、更なる軸長短縮を実現することができる。
【００４５】
結局、これらの軸長短縮により、きわめて搭載性に優れたエンジン始動機能付き電動コンプレッサを実現することができる。
（その他の変形態様）
上記実施例では、電動機５によるコンプレッサ７のみの駆動と、電動機５による減速機構３のみの駆動との切り替えに用いた一方向クラッチ４、６をロータ５３の径方向内側に収容したが、一方向クラッチ６をコンプレッサ７の内部に収容してもよい。たとえば、コンプレッサ７を斜板式コンプレッサまたは揺動斜板式コンプレッサとした場合に、斜板や揺動斜板と回転軸との間に一方向クラッチ６を配置することができる。
【図面の簡単な説明】
【００４６】
【図１】本発明の補機駆動型エンジン始動装置の実施例１を示す模式ブロック図である。
【図２】本発明補機駆動型エンジン始動装置の実施例２を示す模式ブロック図である。
【図３】本発明の補機駆動型エンジン始動装置の実施例３を示す模式縦断面図である。
【符号の説明】
【００４７】
１      プーリ
２      一方向クラッチ
３      減速機構
４      一方向クラッチ
５      電動機
６      一方向クラッチ
７      コンプレッサ
８      エンジン
９      クランクプーリ
１０      ベルト
１１      バッテリ
１２      制御装置
１３      インバータ
１６      プーリーナット
１７      基筒部
１９      プーリ部（プーリ）
３１      回転軸
３２      サンギヤ
３３      インターナルギヤ
３４      遊星ギヤ
３５      回転軸
３６      キャリヤ
３７      遊星ギヤ枢支ピン
５１      ステータコア
５２      ステータコイル
５３      ロータ
５４      回転軸
７１      回転軸
７１ｂ      拡径部
７１ｃ      偏心軸部
７２      固定スクロール
７２ａ      端板部
７２ｂ      羽根部
７３      旋回スクロール
７３ａ      端板部
７３ｂ      羽根部
７３ｃ      ボス部
７４      スラスト軸受
７５      軸受
７６      ブッシュ
７７      吐出口
７９      吐出弁
８０      吐出室
８１      吸入室
８２      作動室
１００      ハウジング
１０１      減速機構ハウジング
１０２      フロントハウジング
１０３      モータハウジング
１０４      リヤハウジンング
１０５      スルーボルト
１０６      センターハウジング
【図１】
2005220755.tif 000003
【図２】
2005220755.tif 000004
【図３】
2005220755.tif 000005